(57)【要約】【課題】収納工程の簡略化、チップ収納の安定化を図ることができる収納容器を提供すること。【解決手段】収納容器１０は、複数枚のチップＣを収納する複数のチップトレイ１１と、各チップトレイ１１をそれぞれ収納可能に設けられた収納トレイ１２とを備えて構成されている。チップトレイ１１は、上下に重ね合わせ可能な上部材１４及び下部材１５からなる。収納トレイ１２は、上出し入れ口３１及び下出し入れ口３２を有する収納部２６を複数備えている。収納部２６は、フランジ部３４と、上出し入れ口３１側に設けられた第１のロック片部３５と、下出し入れ口３２側に設けられた第２のロック片部３６とを備えている。フランジ部３４及び第１のロック片部３５により上部材１４の上下方向の位置決めを行い、フランジ部３４及び第２のロック片部３６により下部材１５の上下方向の位置決めを行う。【選択図】図４
2010018299.tif 000002
【特許請求の範囲】
【請求項１】
複数枚のチップを収納する少なくとも一つの第１の収納体と、当該第１の収納体を複数収納可能に設けられた第２の収納体とを含む収納容器において、
前記第１の収納体は、上下に重ね合わせ可能な上部材及び下部材からなり、これら上部材及び下部材は、少なくとも上面側にチップを収納可能にそれぞれ設けられ、
前記第２の収納体は、収納した上部材の上下方向の位置決めを行う第１の位置決め部と、収納した下部材の上下方向の位置決めを行う第２の位置決め部とを備えていることを特徴とする収納容器。
【請求項２】
前記第１の収納体は、第２の収納体に前記上部材及び下部材を収納した状態での上下厚が、第２の収納体の上下厚と略同一に設定されていることを特徴とする請求項１記載の収納容器。
【請求項３】
前記第２の収納体は、他の収納容器の第２の収納体に上下に重ね合わせ可能に設けられ、前記各第２の収納体を上下に重ねたときに、下方の第２の収納体に収納された上部材と、上方の第２の収納体に収納された下部材とによりチップを挟み込んで当該チップの厚み方向の移動を規制可能に設けられていることを特徴とする請求項１又は２記載の収納容器。
【請求項４】
第２の収納体は、上下にそれぞれ出し入れ口を有する収納部を備え、上方の出し入れ口から上部材を出し入れ可能に設けられている一方、下方の出し入れ口から下部材を出し入れ可能に設けられていることを特徴とする請求項１，２又は３記載の収納容器。
【発明の詳細な説明】
【技術分野】
【０００１】
本発明は、収納容器に係り、更に詳しくは、複数枚のチップの収納状態を良好に保つことができる収納容器に関する。
【背景技術】
【０００２】
従来より、半導体チップを搬送若しくは保管するための収納容器が利用されている。このような収納容器としては、複数枚のチップを収納するチップトレイと、当該チップトレイより大きい平面サイズ及び厚みに設けられるととともに、複数のチップトレイを収納可能な収納トレイとを備えたものが知られている。収納トレイは、上部開放型の複数のポケットを備えており、各ポケットにチップトレイがそれぞれ収納されるようになっている。チップトレイは、その上面から突出する複数の突起又は突条を備え、当該突起又は突条に囲まれる上面領域にチップを載置することにより、当該チップの外周側が複数の突起又は突条に略当接して面方向への移動が規制された状態で収納される。そして、チップを収納したチップトレイをポケットに収納して収納トレイを搬送することにより、複数のチップトレイが同時に搬送されることとなる。
【０００３】
かかる収納容器を改良したものとして、本発明者は、特許文献１に開示されるタイプのものを案出した。同文献の収納容器は、相互に組み合わせ可能な上部材及び下部材からなるチップトレイと、このチップトレイを収納可能な収納トレイとを備え、上部材及び下部材との間にチップが挟み込まれた状態で収納される。
【０００４】
【特許文献１】特開２００７−１８２２３７号公報
【発明の開示】
【発明が解決しようとする課題】
【０００５】
しかしながら、同文献にあっては、以下に述べる点で改善の余地があった。
すなわち、同文献では、上部材及び下部材を組み合わせなければ、それらを上下方向に位置決めすることができない。このため、搬送中に収納容器を上下に移動させたり、チップの検査工程で二つの収納トレイを重ねて反転したりする場合、上部材及び下部材を両方とも収納することが不可欠となる。
更に、収納トレイと、上部材及び下部材を組み合わせたものとでは厚みが異なっており、二つの収納トレイを重ねたときに、上方の収納トレイの下部材と、下方の収納トレイ内の上部材との間にスペースが生じることとなる。このため、収納トレイの反転時に、下方の収納トレイ内の上部材に収納したチップが厚み方向にがたつき、当該チップに位置ずれや傾きが生じて不完全な収納状態になり易くなる。
また、下部材を収納する前に上部材を収納すると、下部材を収納するために上部材を収納トレイから取り出す必要があり、チップの収納工程の複雑化を招来する。
【０００６】
［発明の目的］
本発明は、前述した改善点に着目して案出されたものであり、その目的は、収納工程の簡略化を図ることができ、チップをより安定して収納することができる収納容器を提供することにある。
【課題を解決するための手段】
【０００７】
前記目的を達成するため、本発明は、複数枚のチップを収納する少なくとも一つの第１の収納体と、当該第１の収納体を複数収納可能に設けられた第２の収納体とを含む収納容器において、
前記第１の収納体は、上下に重ね合わせ可能な上部材及び下部材からなり、これら上部材及び下部材は、少なくとも上面側にチップを収納可能にそれぞれ設けられ、
前記第２の収納体は、収納した上部材の上下方向の位置決めを行う第１の位置決め部と、収納した下部材の上下方向の位置決めを行う第２の位置決め部とを備える、という構成が採用されている。
【０００８】
本発明において、前記第１の収納体は、第２の収納体に前記上部材及び下部材を収納した状態での上下厚が、第２の収納体の上下厚と略同一に設定されることが好ましい。
【０００９】
また、前記第２の収納体は、他の収納容器の第２の収納体に上下に重ね合わせ可能に設けられ、前記各第２の収納体を上下に重ねたときに、下方の第２の収納体に収納された上部材と、上方の第２の収納体に収納された下部材とによりチップを挟み込んで当該チップの厚み方向の移動を規制可能に設けられる、という構成も好ましくは採用される。
【００１０】
更に、第２の収納体は、上下にそれぞれ出し入れ口を有する収納部を備え、上方の出し入れ口から上部材を出し入れ可能に設けられている一方、下方の出し入れ口から下部材を出し入れ可能に設けられる、という構成を採ることが好ましい。
【発明の効果】
【００１１】
本発明によれば、第１の位置決め部により上部材の上下方向の位置決めが行われ、第２の位置決め部により下部材の上下方向の位置決めが行われるので、当該位置決めを行うためだけに上部材及び下部材を組み合わせる必要性をなくすことができる。これにより、上部材及び下部材の収納に要する工程の簡略化を図ることができ、且つ、上部材及び下部材の何れか一方だけを収納しても、それらが上下にがたつくことを回避でき、チップを安定して収納することが可能となる。
【００１２】
また、第１の収納体と第２の収納体の上下厚を略同一に設定したので、収納容器全体のコンパクト化を図ることが可能となる。
【００１３】
更に、二つの第２の収納体を重ね合わせ可能としたので、上方の第１の収納体の下部材が、下方の第１の収納体の上部材を閉蓋するように位置可能となり、それらの間のチップが厚み方向にがたついたり傾いたりすることを防止することができる。これにより、上部材だけを収納した第２の収納体と、下部材だけを収納した別の第２の収納体とを組み合わせた状態で反転しても、それらの間のチップの位置ずれ等を回避することが可能となる。
【００１４】
また、第２の収納体が上下にそれぞれ出し入れ口を有する収納部を備えているので、上部材及び下部材をそれぞれ独立して収納部に出し入れすることができる。これにより、下部材を収納するために上部材を予め収納部から取り出す等の面倒な工程をなくすことができ、収納工程の効率を向上させることが可能となる。
【００１５】
なお、本明細書及び特許請求の範囲において、特に明示しない限り、「上」及び「下」は、図２及び図６を基準として用いる。
【発明を実施するための最良の形態】
【００１６】
以下、本発明の好ましい実施の形態について図面を参照しながら説明する。
【００１７】
図１には、実施形態に係る収納容器の平面図が示され、図２には、その正面図が示されている。また、図３には、図１の要部拡大平面図が示され、図４には、図１の要部拡大斜視図が示されている。これらの図において、収納容器１０は、複数枚のチップＣを収納する複数の第１の収納体としてのチップトレイ１１と、各チップトレイ１１をそれぞれ収納可能に設けられた第２の収納体としての収納トレイ１２とを備えて構成されている。なお、前記チップＣは、特に限定されるものでないが、ＢＧＡ型若しくはＣＳＰ型等の面実装型とされ、略正方形の平面形状をなす片状に形成されるとともに、一方の面に図示省略した多数の端子を備えたものが例示される。
【００１８】
前記チップトレイ１１は、図４に示されるように、相互に組み合わせ可能な上部材１４及び下部材１５からなる。これら上部材１４及び下部材１５は、上方に複数のチップＣを載置可能な略同一構造のトレイ部材により構成されている。従って、以下の説明において、特に明示しない限り、上部材１４の構成について説明し、下部材１５の構成には、同一符号を付して説明を省略する。
【００１９】
前記上部材１４は、本実施形態では、樹脂材を用いた一体成形品により構成されている。上部材１４は、図３ないし図９に示されるように、平面視略正方形状をなす板状の本体部１７と、この本体部１７の上面側から突出して図３中上下及び左右方向に所定間隔毎に複数設けられた略長方形の平面形状をなす第１の突起１８と、本体部１７の下面側から下方に突出して略十字形の平面形状（図５参照）をなす複数の第２の突起１９と、本体部１７の下面における外周側から垂下する方形状リブ２０とを備えて構成されている。
【００２０】
前記本体部１７は、図７及び図９に示されるように、その外周側領域１７Ａが段部１７Ｂを介して低くなる形状に設けられている。図３に示されるように、本体部１７の同図中左右両端側における上下両側には凹部２２がそれぞれ形成されている。また、本体部１７の各コーナーＫのうち、一箇所のコーナーＫ（図３中左下のコーナー）はテーパ状に形成され、当該コーナーＫの位置により上部材１４の周方向の向きを容易に認識できるようになっている。
【００２１】
前記各第１の突起１８は、本体部１７の上面に図３中上下及び左右方向に沿って所定間隔毎に載置されるチップＣの四辺に沿う位置に設けられている。すなわち、図３中上下に隣り合う一対の第１の突起１８，１８と、当該第１の突起１８，１８の同図中左右両側に位置する第１の突起１８，１８との間に、チップＣを収納して当該チップＣの水平方向移動を規制可能に設けられている。
【００２２】
前記第２の突起１９は、図５に示されるように、同図中上下及び左右方向に沿って所定間隔毎に設けられ、具体的には、各チップＣの前記収納位置の下側（図５中紙面直交方向手前側）に対応する位置にそれぞれ設けられている。図７に示されるように、第２の突起１９の本体部１７下面からの突出量ｈ１は、第１の突起１８の本体部１７上面からの突出量ｈ２より小さく設定されている。これにより、上部材１４及び下部材１５を上下に重ねたとき（図６及び図８参照）に、上部材１４の本体部１７下面と、下部材１５の第１の突起１８の上面とが当接し、上部材１４の第２の突起１９の下面と、下部材１５の本体部１７上面とによりチップＣを挟み込んで収納できるようになっている。
【００２３】
前記方形状リブ２０は、その内周面が前記段部１７Ｂより若干外側となる形状を備えた略正方形の平面形状に設けられている。従って、上部材１４及び下部材１５を上下に重ねたときに、上部材１４の方形状リブ２０と、下部材１５の段部１７Ｂ及びこれに沿う各第１の突起１８が嵌り合い、上部材１４及び下部材１５が相互に組み合わせ可能となっている。
【００２４】
前記収納トレイ１２は、特に限定されるものでないが、本実施形態では、ＡＢＳ等の適宜な樹脂材を用いた一体成形品により構成されている。収納トレイ１２は、図１０にも示されるように、横長の長方形状に設けられた板状のトレイ形成体２４と、このトレイ形成体２４の面内中央部に設けられた被吸着部２５と、このトレイ形成体２４の図１０中左右両側において四箇所ずつそれぞれ形成されるとともに、チップトレイ１１を内部に収納する収納部２６と、トレイ形成体２４の外周に形成された枠状体２７とを備えて構成されている。
【００２５】
前記被吸着部２５は、略正方形の平面形状をなす枠状リブ２９に囲まれた位置に設けられた略フラットな面により形成され、収納容器１０の搬送等に用いられる所定の吸着グリッドを介して吸着される領域となる。枠状リブ２９は、その上端面がトレイ形成体２４の上面と同一面上に位置するように設けられている。従って、被吸着部２５は、トレイ形成体２４の上面より低い位置で当該上面と略平行となるように位置する。なお、枠状リブ２９を囲う位置には、当該枠状リブ２９と略同一の上端面高さとなる格子状リブ３０が設けられている。
【００２６】
前記各収納部２６は、図３ないし図５に示されるように、上部材１４より若干大きい平面形状となる上出し入れ口３１及び下出し入れ口３２を備えている。上出し入れ口３１は、収納部２６の上方に設けられて上部材１４を出し入れ可能に設けられ、下出し入れ口３２は、収納部２６の下方に設けられて下部材１５を出し入れ可能に設けられている。収納部２６は、上下の出し入れ口３１，３２の間に延びる周壁部３３と、周壁部３３の上下方向中間部から内側に突き出るフランジ部３４と、平面視で上出し入れ口３１の図３中上下両側に設けられた複数の第１のロック片部３５と、下出し入れ口３２の図５中左右両側に設けられた複数の第２のロック片部３６と、図３及び図５中左右両側に位置する周壁部３３に連なる複数の位置決め突部３７とを備え、フランジ部３４の内側が開放した形状に設けられている。ここにおいて、フランジ部３４及び第１のロック片部３５により第１の位置決め部が構成され、フランジ部３４及び第２のロック片部３６により第２の位置決め部が構成される。
【００２７】
図３において、上下及び左右に位置する周壁部３３には、一対の切欠部３８がそれぞれ形成されている。各切欠部３８は、図３及び図４に示されるように、トレイ形成体２４からフランジ部３４に亘って形成されているとともに、第１又は第２のロック片部３５，３６を受容する大きさに設けられている。
【００２８】
前記第１のロック片部３５は、切欠部３８の内側にそれぞれ設けられており、図６及び図７に示されるように、上下方向に沿って位置するとともに、その上端に内方に突出する突出部４０を備えている。突出部４０は、断面視略半円弧状に形成されており、上出し入れ口３１から収納部２６内に上部材１４を収納したときに、当該上部材１４の本体部１７外周部分に係合可能に設けられている。また、第１のロック片部３５は、その下端側における幅方向両側で連結片４１，４１を介して切欠部３８の内周面側に連結され、当該連結片４１，４１や第１のロック片部３５自体が弾性変形することで、上部側が揺動できるようになっている。
【００２９】
前記第２のロック片部３６は、図７及び図９に示されるように、前記第１のロック片部３５の上下の向きを反対とした形状と同様の形状をなしている。従って、第２のロック片部３６の構成には、第１のロック片部３５と同一符号を付し、説明を以下のように簡略とする。第２のロック片部３６の突出部４０は、下出し入れ口３１から収納部２６内に下部材１５を収納したときに、当該下部材１５の本体部１７外周部分に係合可能となる。
【００３０】
前記位置決め突部３７は、図３左右両側に位置する周壁部３３の上下両側であって、図７中フランジ部３４を挟む上下両側にそれぞれ設けられている。位置決め突部３７は、収納部２６内に上部材１４及び下部材１５を収納したときに、前記凹部２２の内部に受容される位置に設けられている。従って、図３、図５に示される位置から、上部材１４及び下部材１５を時計回り又は反時計回りに９０°回転させた状態で収納部２６内に収納しようとすると、位置決め突部３７と前記本体部１７の外周側領域１７Ａとが干渉し、収納部２６にチップトレイ１１を収納できないようになっている。
【００３１】
ここで、図６及び図８に示されるように、収納部２６に上部材１４及び下部材１５を収納した状態でのチップトレイ１１全体の上下厚みは、収納トレイ１２の上下厚みと略同一に設定されている。しかも、上部材１４における第１の突起１８の上端面がトレイ形成体２４の上面からはみ出さず、且つ、下部材１５の方形状リブ２０の下面が枠状体２７の下部より上方に位置してはみ出さないようになっている。
【００３２】
前記枠状体２７は、トレイ形成体２４の外周側から垂下しており、その上部にトレイ形成体２４の上面より低い高さとなる段部２７Ａを備えている。ここで、図１１に示されるように、複数の収納容器１０を上下に積み重ねた場合、前記段部２７Ａ上に、他の収納容器１０の枠状体２７の下端面が載置されて嵌り合う。なお、図１中上下両側に位置する枠状体２７の左右両側には、下向き凹状（図２参照）をなす凹み部４３がそれぞれ形成されている。また、枠状体２７の図２中左右両側には、正面視で鈎状をなすフック部４４が連なって設けられている。
【００３３】
以上の構成において、収納容器１０にチップＣを収納する場合、先ず、図４に示されるように、チップＣの四辺が下部材１５の四つの第１の突起１８にそれぞれ対向するように本体部１７上に載置する。次いで、下部材１５の各凹部２２内に前記位置決め突部３７が受容されるように当該下部材１５の向きを設定し、前記下出し入れ口３２から収納部２６内に押し入れる。このとき、下部材１５の外周側領域１７Ａが第２のロック片部３６の突出部４０の表面を滑動し、第２のロック片部３６が外側に倒伏するように変形する。そして、下部材１５の外周側領域１７Ａの上面がフランジ部３４に略接触した状態で第２のロック片部３６が初期位置に復帰し、下部材１５の外周側領域１７Ａがフランジ部３４と第２のロック片部３６とにより上下に挟み込まれ、下部材１５の上下方向の位置決めが行われる。
【００３４】
その後、上部材１４も下部材１５と同様に向きを設定した後、前記上出し入れ口３１から収納部２６内に押し入れる。すると、上部材１４により第１のロック片部３５が前記第２のロック片部３６と同様に変形した後、上部材１４の外周側領域１７Ａがフランジ部３４と第１のロック片部３５とにより上下に挟み込まれ、上部材１４の上下方向の位置決めが行われる。このように、上部材１４及び下部材１５が収納された状態で、下部材１５の段部１７Ｂ及びこれに沿う第１の突起１８と、上部材１４の方形状リブ２０とが相互に嵌め合って上部材１４及び下部材１５が上下に組み合わされる。また、下部材１５上の各チップＣの上方に上部材１４の第２の突起１９が位置し、チップＣの浮き上がりが防止された状態となって上部材１４により下部材１５が閉蓋される。
なお、他の各収納部２６に対しても、チップＣを収納したチップトレイ１１を同様に収納することにより、図１に示される状態となる。
【００３５】
この状態において、前述の下部材１５と同様に、上部材１４の上方にも複数枚のチップＣを収納することができる。これらのチップＣは、図１１に示されるように、上下に二つの収納容器１０を重ねることにより、上方領域が覆われることとなる。このとき、上部材１４の上部にチップＣを収納した図１１中下方の収納容器１０に対し、他の収納容器１０を上方から重ね合わせたときに、当該他の収納容器１０の下部材１５における第２の突起１９が各チップＣの上方にそれぞれ位置した状態となる。換言すれば、下方の収納トレイ１２に収納された上部材１４の本体部１７と、上方の収納トレイ１２に収納された下部材１５の第２の突起１９とによりチップＣを挟み込んで当該チップＣの厚み方向の移動を規制可能となっている。
これにより、
【００３６】
ここで、収納容器１０からチップＣを取り出す場合、強制的な外力を付与し、上部材１４を上出し入れ口３１側に引き出したり、下部材１５を下出し入れ口３２側に引き出したりすることにより、第１及び第２のロック片部３５，３６による位置決めを解除する。これにより、上部材１４及び下部材１５の少なくとも一方を収納部２６から取り出すことで、チップＣが表出し、当該チップＣの取り出しを行えるようになる。
【００３７】
なお、収納部２６へのチップトレイ１１の収納において、上部材１４及び下部材１５の何れか一方だけを収納することが可能である。このとき、上部材１４はフランジ部３４と第１のロック片部３５とにより上下に挟み込まれ、下部材１５はフランジ部３４と第２のロック片部３６とにより上下に挟み込まれるので、上部材１４及び下部材１５を組み合わせなくても、それらの収納部２６内での上下方向の位置決めを相互に独立して行うことができる。これにより、例えば、上部材１４にチップＣを収納し、当該上部材１４だけを収納部２６に収納したり、二つの収納容器１０を重ねる場合、上方に位置する収納容器１０の収納部２６に下部材１５だけ収納し、当該下部材１５により、上方の収納容器１０の上部材１４に収納されたチップＣの浮き上がりを防止したりすることが可能となる。
【００３８】
従って、このような実施形態によれば、上部材１４及び下部材１５の何れか一方だけを収納しても、それらの上下動を規制できるので、収納工程の簡略化を図ることが可能となる他、上部材１４及び下部材１５、チップＣを安定して収納することができる。
また、図１１に示されるように、下方の収納容器１０の上部材１４上のチップＣが上下方向から挟み込まれるので、二つの収納容器１０を重ね合わせたまま裏返すことで、当該チップＣが位置ずれしないように容易に反転でき、チップＣの両面を通電検査するテスト工程等を迅速に行えるようになる。
【００３９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００４０】
例えば、前記実施形態において、収納部２６の設置数を必要に応じて増減してもよく、また、複数の収納部２６に対して少なくとも一つのチップトレイ１１を収納させるようにすればよい。
また、チップトレイ１１と収納トレイ１２に異なる色を施してもよく、これにより、収納トレイ１２に対するチップトレイ１１の着脱をよりスムースに行うことができる。
更に、上部材１４及び下部材１５は、チップＣの平面サイズや収納許容数に応じて、種々の設計変更を行ってもよい。
【図面の簡単な説明】
【００４１】
【図１】実施形態に係る収納容器の概略平面図。
【図２】図１の正面図。
【図３】図１の要部拡大平面図。
【図４】図１の要部拡大分解斜視図。
【図５】上部材の底面部。
【図６】図３のＡ−Ａ線に沿う断面図。
【図７】図６の分解断面図。
【図８】図３のＢ−Ｂ線に沿う断面図。
【図９】図８の分解断面図。
【図１０】チップトレイを省略した図１と同様の平面図。
【図１１】二つの収納容器を重ねた状態を示す図６と同様の断面図。
【符号の説明】
【００４２】
１０・・・収納容器、１１・・・チップトレイ（第１の収納体）、１２・・・収納トレイ（第２の収納体）、１４・・・上部材、１５・・・下部材、２６・・・収納部、３１・・・上出し入れ口、３２・・・下出し入れ口、３４・・・フランジ部（第１及び第２の位置決め部）、３５・・・第１のロック片部（第１の位置決め部）、３６・・・第２のロック片部（第２の位置決め部）、Ｃ・・・チップ
【図１】
2010018299.tif 000003
【図２】
2010018299.tif 000004
【図３】
2010018299.tif 000005
【図４】
2010018299.tif 000006
【図５】
2010018299.tif 000007
【図６】
2010018299.tif 000008
【図７】
2010018299.tif 000009
【図８】
2010018299.tif 000010
【図９】
2010018299.tif 000011
【図１０】
2010018299.tif 000012
【図１１】
2010018299.tif 000013